(57)【要約】【課題】無線アクセスポイント情報収集方法及び装置を開示する。【解決手段】無線アクセスポイント情報収集方法は、無線アクセスポイント情報収集装置がターゲット施設内部で前記無線アクセスポイントに関する情報を収集する地点の位置情報が入力されるステップと、前記無線アクセスポイントに関する情報を収集する地点別に周辺に位置する無線アクセスポイントに関する情報を収集するステップと、前記収集した無線アクセスポイントに関する情報と前記入力された位置情報とを格納するステップとを含んでもよい。【選択図】図１
2014023147.tif 000002
【特許請求の範囲】
【請求項１】
無線アクセスポイントに関する情報を収集する方法において、
無線アクセスポイント情報収集装置がターゲット施設内部で前記無線アクセスポイントに関する情報を収集する地点の位置情報を入力し、
前記無線アクセスポイントに関する情報を収集する地点別に周辺に位置する無線アクセスポイントに関する情報を収集し、
前記収集した無線アクセスポイントに関する情報と前記入力された位置情報とを格納する、
無線アクセスポイント情報収集方法。
【請求項２】
前記無線アクセスポイントに関する情報を収集する地点別に格納した無線アクセスポイントに関する情報と前記入力された位置情報とを無線アクセスポイント情報収集サーバにアップロードすることをさらに含む、請求項１に記載の無線アクセスポイント情報収集方法。
【請求項３】
前記無線アクセスポイントに関する情報は、
等間隔で収集されることを特徴とする、請求項１または請求項２に記載の無線アクセスポイント情報収集方法。
【請求項４】
前記無線アクセスポイントに関する情報は、
ＷｉＦｉアクセスポイントのＭＡＣアドレス及び信号強度を含むことを特徴とする、請求項１から請求項３のいずれか一項に記載の無線アクセスポイント情報収集方法。
【請求項５】
前記位置情報の入力は、
前記無線アクセスポイント情報収集装置のディスプレイに地図情報を表示し、
前記表示した地図情報上に前記無線アクセスポイントに関する情報を収集する地点の位置情報を入力し、
前記ディスプレイを介して前記無線アクセスポイントに関する情報を収集する地点が位置する階数に関する情報を入力すること  を含む、請求項１から請求項４のいずれか一項に記載の無線アクセスポイント情報収集方法。
【請求項６】
前記無線アクセスポイントに関する情報を収集した後に、
前記無線アクセスポイントに関する情報が収集された地点に関する情報を前記地図情報上に表示することをさらに含むことを特徴とする請求項５に記載の無線アクセスポイント情報収集方法。
【請求項７】
前記無線アクセスポイントに関する情報を収集することは、
前記無線アクセスポイント情報収集装置に含まれる無線ＬＡＮカードをスキャナとして動作させて前記無線アクセスポイントに関する情報を収集することを特徴とする、請求項１から請求項６のいずれか一項に記載の無線アクセスポイント情報収集方法。
【請求項８】
命令語を格納するコンピュータ読み取り可能な記録媒体として、
ディスプレイを備える携帯装置によって実行される場合、前記携帯装置がターゲット施設内部で無線アクセスポイントに関する情報を収集する地点の位置情報の入力を受けるようにして、前記無線アクセスポイントに関する情報を収集する地点別に周辺に位置する無線アクセスポイントに関する情報を収集するようにし、前記収集した無線アクセスポイントに関する情報と前記入力された位置情報とを格納するようにさせる命令語が記録された、コンピュータ読み取り可能な記録媒体。
【請求項９】
ターゲット施設内部で無線アクセスポイントに関する情報を収集する地点の位置情報が入力される入力部と、
前記無線アクセスポイントに関する情報を収集する地点別に周辺に位置する無線アクセスポイントに関する情報を収集する収集部と、
前記収集した無線アクセスポイントに関する情報と前記入力された位置情報とを格納する格納部と、
を含む無線アクセスポイント情報収集装置。
【請求項１０】
前記無線アクセスポイントに関する情報を収集する地点別に格納した無線アクセスポイントに関する情報と前記入力された位置情報とを無線アクセスポイント情報収集サーバにアップロードする送信部をさらに含むことを特徴とする、請求項９に記載の無線アクセスポイント情報収集装置。
【請求項１１】
前記無線アクセスポイントに関する情報は、
等間隔で収集され、ＷｉＦｉアクセスポイントのＭＡＣアドレス及び信号強度を含むことを特徴とする、請求項９または請求項１０に記載の無線アクセスポイント情報収集装置。
【請求項１２】
前記無線アクセスポイント情報収集装置のディスプレイに地図情報を表示する表示部をさらに含み、
前記入力部は、
前記表示された地図情報上に前記無線アクセスポイントに関する情報を収集する地点の位置情報が入力されて、前記ディスプレイを介して前記無線アクセスポイントに関する情報を収集する地点が位置する階数に関する情報が入力されることを特徴とする、請求項９から請求項１１のいずれか一項に記載の無線アクセスポイント情報収集装置。
【請求項１３】
前記表示部は、
前記無線アクセスポイントに関する情報が収集された地点に関する情報を前記地図情報上に表示することを特徴とする、請求項１２に記載の無線アクセスポイント情報収集装置。
【請求項１４】
前記収集部は、
前記無線アクセスポイント情報収集装置に含まれる無線ＬＡＮカードをスキャナとして動作させて前記無線アクセスポイントに関する情報を収集することを特徴とする、請求項９から請求項１３のいずれか一項に記載の無線アクセスポイント情報収集装置。
【発明の詳細な説明】
【技術分野】
【０００１】
本発明は、建物の内部でも位置情報サービスを提供できるように無線アクセスポイントに関する情報を収集する無線アクセスポイント情報収集方法及び装置に関する。
【背景技術】
【０００２】
近年、スマートフォン（Ｓｍａｒｔ  Ｐｈｏｎｅ）の普及が広がり移動体通信網が発展することによって、ユーザは時間と空間の制約なく自由に多様な情報とサービスの提供を受けることができるようになった。
【０００３】
ユーザが提供を受けるサービスのうち位置情報サービス（Ｌｏｃａｔｉｏｎ  ｂａｓｅｄ  ｓｅｒｖｉｃｅ）は、バスと地下鉄の到着時間の通知、ナビゲーション（Ｎａｖｉｇａｔｉｏｎ）などに応用され、多様な目的に合った情報を提供している。ユーザに位置情報サービスを提供しようとする場合、ユーザまたは対象物体の正確な位置情報を得る作業が必要であるが、一般的にこのような位置情報はＧＰＳ（Ｇｌｏｂａｌ  Ｐｏｓｉｔｉｏｎｉｎｇ  Ｓｙｓｔｅｍ）信号を基に取得される。しかし、ＧＰＳ信号を基に位置情報を取得する場合、建物の間などのＧＰＳ信号の陰影地域や建物の内部などのＧＰＳ信号が到達し難い地域では、実際のユーザの位置を測定することが困難なことが多い。
【０００４】
そのため、アクセスポイントの情報と通信会社のセルタワー（Ｃｅｌｌ  Ｔｏｗｅｒ）情報を用いて概略的な室内位置を測位する方法が開発されたが、このような室内位置測位方法は、距離誤差が大きくて応答速度が遅く、実際に収集されたデータではなく仮想で演算された位置であるため、信頼度が低いという問題がある。
【０００５】
そのため、建物の内部などのＧＰＳ信号が到達し難い地域でも従来の測位方式よりも正確で早く位置情報サービスを提供できるようにする方法が求められている。
【発明の概要】
【発明が解決しようとする課題】
【０００６】
本発明は、建物の内部などのＧＰＳ信号が到達し難い地域でもより正確な位置情報サービスを早く提供できるように無線アクセスポイントに関する情報を収集する無線アクセスポイント情報収集方法及び装置を提供する。
【課題を解決するための手段】
【０００７】
本発明の一実施形態によれば、無線アクセスポイント情報収集方法は、無線アクセスポイント情報収集装置がターゲット施設内部で前記無線アクセスポイントに関する情報を収集する地点の位置情報が入力されるステップと、前記無線アクセスポイントに関する情報を収集する地点別に周辺に位置する無線アクセスポイントに関する情報を収集するステップと、前記収集した無線アクセスポイントに関する情報と前記入力された位置情報とを格納するステップとを含んでもよい。なお、ターゲット施設とは、無線アクセスポイント情報収集装置が無線アクセスポイントに関する情報を収集する対象となる建物又は構造物を意味する。
【０００８】
また、前記無線アクセスポイントに関する情報を収集する地点別に格納した無線アクセスポイントに関する情報と前記入力された位置情報とを無線アクセスポイント情報収集サーバにアップロードするステップをさらに含んでもよい。
【０００９】
また、前記無線アクセスポイントに関する情報は、等間隔（ｅｑｕａｌ  ｉｎｔｅｒｖａｌ）で収集されてもよい。
【００１０】
また、前記無線アクセスポイントに関する情報は、ＷｉＦｉ（Ｗｉｒｅｌｅｓｓ−Ｆｉｄｅｌｉｔｙ）アクセスポイントのＭＡＣ（Ｍｅｄｉａ  Ａｃｃｅｓｓ  Ｃｏｎｔｒｏｌ）アドレス及び信号強度を含んでもよい。
【００１１】
また、前記位置情報が入力されるステップは、前記無線アクセスポイント情報収集装置のディスプレイに地図情報を表示するステップと、前記表示した地図情報上に前記無線アクセスポイントに関する情報を収集する地点の位置情報が入力されるステップと、前記ディスプレイを介して前記無線アクセスポイントに関する情報を収集する地点が位置する階数に関する情報が入力されるステップとを含んでもよい。
【００１２】
また、前記無線アクセスポイントに関する情報を収集するステップ後に、前記無線アクセスポイントに関する情報が収集された地点に関する情報を前記地図情報上に表示するステップをさらに含んでもよい。
【００１３】
また、前記無線アクセスポイントに関する情報を収集するステップは、前記無線アクセスポイント情報収集装置に含まれる無線ＬＡＮカードをスキャナとして動作させて前記無線アクセスポイントに関する情報を収集するステップであってもよい。
【００１４】
また、本発明の一実施形態によれば、コンピュータ読み出し可能記録媒体は、ディスプレイを備える携帯装置によって実行される場合、前記携帯装置がターゲット施設内部で無線アクセスポイントに関する情報を収集する地点の位置情報の入力を受けるようにして、前記無線アクセスポイントに関する情報を収集する地点別に周辺に位置する無線アクセスポイントに関する情報を収集するようにし、前記収集した無線アクセスポイントに関する情報と前記入力された位置情報とを格納するようにさせる命令語が記録されてもよい。
【００１５】
また、本発明の一実施形態によれば、無線アクセスポイント情報収集装置は、ターゲット施設内部で無線アクセスポイントに関する情報を収集する地点の位置情報が入力される入力部と、前記無線アクセスポイントに関する情報を収集する地点別に周辺に位置する無線アクセスポイントに関する情報を収集する収集部と、前記収集した無線アクセスポイントに関する情報と前記入力された位置情報とを格納する格納部とを含んでもよい。
【発明の効果】
【００１６】
本発明によれば、ターゲット施設内部で無線アクセスポイントに関する情報を収集する地点の位置情報が入力されて、前記無線アクセスポイントに関する情報を収集する地点別に周辺に位置する無線アクセスポイントに関する情報を収集することによって、建物の内部などのＧＰＳ信号が到達し難い地域でもより正確な位置情報サービスを早く提供できる。
【図面の簡単な説明】
【００１７】
【図１】本発明の一実施形態において、建物内部の位置情報サービスを提供するために無線アクセスポイントに関する情報を収集してデータベースを構築する過程を説明するための図である。
【図２】本発明の一実施形態において、無線アクセスポイントに関する情報を収集する方法を示すフローチャートである。
【図３】本発明の一実施形態において、無線アクセスポイント情報収集装置のインターフェースを示す図である。
【図４】本発明の一実施形態において、収集した無線アクセスポイントに関する情報を無線アクセスポイント情報収集サーバにアップロードして収集した地点を表示する過程を示す図である。
【図５】本発明の一実施形態において、ターゲット施設内部に無線アクセスポイントが配置された状態を示す図である。
【図６】本発明の一実施形態において、無線アクセスポイント情報収集装置と各無線アクセスポイントの距離差に係る信号強度について説明するための図である。
【図７】本発明の一実施形態において、ターゲット施設内の各地点別に無線アクセスポイントに関する情報を収集する過程を説明するための図である。
【図８】本発明の一実施形態において、無線アクセスポイントの信号強度により適用される重みを示すグラフである。
【図９】本発明の一実施形態において、無線アクセスポイント情報収集装置を示すブロック図である。
【発明を実施するための形態】
【００１８】
以下、本発明の実施形態について添付の図面を参照しながら詳細に説明する。
【００１９】
図１は、本発明の一実施形態において、建物内部の位置情報サービスを提供するために無線アクセスポイントに関する情報を収集してデータベースを構築する過程を説明するための図である。
【００２０】
本発明に係る無線アクセスポイント情報収集装置１００は、より正確且つ迅速に建物内部の位置情報サービスが提供されるようにするために、無線アクセスポイント情報を収集しようとするターゲット施設１１０の内部で複数の無線アクセスポイント１１２，１１４，１１６に関する情報を収集する。
【００２１】
無線アクセスポイント情報収集装置１００は、情報収集者がターゲット施設１１０の内部に移動して無線アクセスポイント１１２，１１４，１１６に関する情報を収集し易いように携帯可能な装置で実現してもよい。一例として、無線アクセスポイント情報収集装置１００は、無線アクセスポイント情報を収集できるアプリケーション（Ａｐｐｌｉｃａｔｉｏｎ）を含むスマートフォンで実現してもよい。
【００２２】
図１では、第１無線アクセスポイント１１２、第２無線アクセスポイント１１４、第ｎ（ここで、ｎは自然数）無線アクセスポイント１１６がターゲット施設１１０に含まれるように示されているが、各々の無線アクセスポイント１１２，１１４，１１６は、ターゲット施設１１０の内部またはターゲット施設１１０周辺の建物に設置され、ターゲット施設１１０の内部で無線アクセスポイント情報収集装置１００によって認識されてもよい。
【００２３】
前記無線アクセスポイント１１２，１１４，１１６は、一例として、ＷｉＦｉのＡＰ（Ａｃｃｅｓｓ  Ｐｏｉｎｔ）であってもよい。この場合、無線アクセスポイント情報収集装置１００は、無線アクセスポイントに関する情報として、ＷｉＦｉ  ＡＰの固有値、例えば、当該ＷｉＦｉ  ＡＰのＭＡＣアドレス、ＩＤ（ＩＤｅｎｔｉｆｉｃａｔｉｏｎ）などと、当該ＷｉＦｉ  ＡＰの信号強度を収集してもよい。
【００２４】
無線アクセスポイント情報収集装置１００は、ターゲット施設内で無線アクセスポイント１１２，１１４，１１６に関する情報を収集する際に、まず無線アクセスポイント情報収集装置１００のディスプレイを介して無線アクセスポイントに関する情報を収集する地点の位置情報の入力を受けてもよい。このために、無線アクセスポイント情報収集装置１００は、前記ディスプレイを介して所定のインターフェースを表示してもよい。無線アクセスポイント情報収集装置１００は、情報収集者が前記インターフェースを介して無線アクセスポイントに関する情報を収集する地点の位置情報を入力すると、無線アクセスポイント情報収集装置に含まれる無線ＬＡＮカードを用いて当該地点における各無線アクセスポイントに関する情報を収集してもよい。
【００２５】
収集された各地点別無線アクセスポイントに関する情報は、無線アクセスポイント情報収集装置１００のメモリに格納されており情報収集者が送信ボタンを押した場合、無線アクセスポイント情報収集サーバ１２０にアップロードされてもよい。
【００２６】
無線アクセスポイント情報収集サーバ１２０は、無線アクセスポイント収集装置１１０からアップロードされた各地点別無線アクセスポイントに関する情報を加工して、アップロードされた各地点別無線アクセスポイントに関する情報の完全性（ｉｎｔｅｇｒｉｔｙ）を確認する。無線アクセスポイント情報収集サーバ１２０が加工した各地点別無線アクセスポイントに関する情報は、建物内部の位置情報サービスのためのデータベース１３０に反映されてもよい。
【００２７】
図２は、本発明の一実施形態において、無線アクセスポイントに関する情報を収集する方法を示すフローチャートである。
【００２８】
無線アクセスポイント情報収集装置は、建物内部の位置情報サービスを提供するためのデータベースを構築するために、当該建物で認識される無線アクセスポイントに関する情報を収集する。そのために、無線アクセスポイント情報収集装置は、まずターゲット施設内部（建物の内部）で無線アクセスポイントに関する情報を収集する地点の位置情報が入力されてもよい（Ｓ２１０）。
【００２９】
ここで、無線アクセスポイント情報収集装置は、無線アクセスポイントに関する情報を収集する地点の位置情報をより容易に入力できるように、無線アクセスポイント情報収集装置に備えられたディスプレイを介して地図情報を表示してもよい。
【００３０】
無線アクセスポイントに関する情報を収集する地点の位置情報が入力されて、前記無線アクセスポイントに関する情報を収集する地点に位置する施設の階数に関する情報が入力されれば、無線アクセスポイント情報収集装置は、各々の地点別に周辺に位置する無線アクセスポイントに関する情報を収集する（Ｓ２２０）。
【００３１】
一例として、前記無線アクセスポイントは、ユーザまたは当該施設の入居者の便宜のために当該施設内部に設置されたＷｉＦｉ  ＡＰであってもよく、無線アクセスポイント情報収集装置によって収集される無線アクセスポイントに関する情報は、各々のＷｉＦｉ  ＡＰを識別するための固有値（例えば、ＭＡＣアドレスなど）と当該ＷｉＦｉ  ＡＰからの信号強度（ＲＳＳＩ：Ｒｅｃｅｉｖｅｄ  Ｓｉｇｎａｌ  Ｓｔｒｅｎｇｔｈ  Ｉｎｄｉｃａｔｉｏｎ）を含んでもよい。
【００３２】
無線アクセスポイント情報収集装置は、前記無線アクセスポイント情報収集装置に含まれる無線ＬＡＮカード（ＬＡＮ  Ｃａｒｄ）をスキャナ（Ｓｃａｎｎｅｒ）として動作させて前記無線アクセスポイントに関する情報を収集してもよい。
【００３３】
このような無線アクセスポイントに関する情報は、後の位置情報サービス提供時に、より正確にユーザの位置を決定するために等間隔で収集されてもよい。
【００３４】
無線アクセスポイントに関する情報が収集されれば、無線アクセスポイント情報収集装置は、無線アクセスポイントに関する情報を収集した地点に関する情報を前記地図情報上に表示することによって、情報収集者がすでに収集した地点に関する情報をより容易に知ることが出来るようにしてもよい。
【００３５】
無線アクセスポイント情報収集装置は、前記無線アクセスポイントに関する情報を収集する地点別に収集した無線アクセスポイントに関する情報を格納してもよく、格納した情報を無線アクセスポイント情報収集サーバにアップロードしてもよい。
【００３６】
図３は、本発明の一実施形態において無線アクセスポイント情報収集装置のインターフェースを示す図であり、図４は、本発明の一実施形態において収集した無線アクセスポイントに関する情報を無線アクセスポイント情報収集サーバにアップロードして収集した地点を表示する過程を示す図である。以下、図３及び図４を参照しながら、無線アクセスポイント情報収集装置がターゲット施設で無線アクセスポイントに関する情報を収集してアップロードする過程についてより詳細に説明する。
【００３７】
無線アクセスポイント情報収集装置は、無線アクセスポイント情報収集装置のディスプレイに所定のインターフェースを介して地図情報を表示してもよい。情報収集者は、前記地図情報を介して現在の自身が位置する地点に対する正確な位置情報３１０を入力してもよい。前記位置情報３１０は、情報収集者の実際の測定によって入力される位置情報であって、当該位置の絶対座標（緯度／経度）に関する情報であってもよい。
【００３８】
前記インターフェースには、現在位置、航空写真、グリッド表示、一般地図などを選択できるボタン３２０を備えてもよい。現在位置ボタンが選択される場合、ＧＰＳ信号に基づく概略的な位置情報が提供されてもよい。航空写真ボタンが選択された場合、前記地図情報の代わりに航空で撮影した写真情報が表示されてもよい。グリッド表示ボタンが選択された場合、地図情報上に特定の長さの格子が表示させ、等間隔で位置情報を収集することが容易にできるようにしてもよい。
【００３９】
一方、前記インターフェースには当該施設の階数を選択できるボタン３３０と無線アクセスポイントに関する情報収集のためのボタン３４０を備えてもよい。情報収集者は、前記階数を選択できるボタン３３０を用いて情報収集者が無線アクセスポイントに関する情報を収集しようとする階数を入力してもよく、無線アクセスポイントに関する情報収集のためのボタン３４０を選択することによって当該地点における無線アクセスポイントに関する情報を収集してもよい。
【００４０】
図４に示すように、無線アクセスポイントに関する情報収集のためのボタン３４０が選択されれば、無線アクセスポイント情報収集装置のディスプレイには情報収集の進行状況４１０が表示され、情報収集が完了すれば、情報収集が完了した地点に関する情報４２０がポイントで表示されてもよい。
【００４１】
このような過程を経て収集された情報は、無線アクセスポイント情報収集装置に格納され、情報収集者によって送信ボタンが押されると、それまでに格納された情報が無線アクセスポイント情報収集サーバにアップロードされてもよい。
【００４２】
図５は、本発明の一実施形態においてターゲット施設内部に無線アクセスポイントが配置された状態を示す図であり、図６は、本発明の一実施形態において無線アクセスポイント情報収集装置と各無線アクセスポイントの距離差に係る信号強度について説明するための図である。
【００４３】
図５に示すように、建物の内部には複数の無線アクセスポイント（ＡＰ１〜ＡＰ７）が配置されていてもよい。ユーザが図５のような形態で無線アクセスポイントが配置されたターゲット施設に入った場合、ユーザの位置によってユーザの端末で受信される各無線アクセスポイント（ＡＰ１〜ＡＰ７）の信号強度は異なるように測定される。
【００４４】
例えば、図６に示すようにユーザがＡ地点６１０からＢ地点６２０に移動する場合、Ａ地点６１０ではＡＰ１〜ＡＰ３がＡＰ４〜ＡＰ７よりユーザの端末と相対的に近いが、Ｂ地点６２０ではＡＰ４〜ＡＰ７がＡＰ１〜ＡＰ３よりユーザの端末と相対的に近づく。
【００４５】
Ａ地点６１０とＢ地点６２０で各無線ＡＰからの信号強度を表で現わせば、次の表１のようになる。
【００４６】
【表１】
2014023147.tif 000003
【００４７】
このように、ユーザの位置によって周辺ＡＰからの信号強度が変わることを利用してユーザの室内位置を決定してもよい。本方法に係る無線アクセスポイント情報収集装置は、フィンガープリント（Ｆｉｎｇｅｒｐｒｉｎｔｉｎｇ）方法を用いて無線アクセスポイントに関する情報を収集してもよい。
【００４８】
図７は、本発明の一実施形態においてターゲット施設内の各地点別に無線アクセスポイントに関する情報を収集する過程を説明するための図面であり、図８は、本発明の一実施形態において無線アクセスポイントの信号強度によって適用される重みを示すグラフである。
【００４９】
無線アクセスポイント情報収集装置は、図７に示すように等間隔でフィンガープリント方法を用いて無線アクセスポイントに関する情報を収集してもよい。
【００５０】
例えば、建物の内部で入口１から入口２に進みながら無線アクセスポイントに関する情報を収集するようになれば、収集された位置は、ＦＰ１、ＦＰ２、ＦＰ３、…、ＦＰ７のような順序として決定される。
【００５１】
次の表２は、図７においけるＦＰ１位置、ＦＰ２位置、ＦＰ３位置の絶対座標と各位置で各無線ＡＰからの信号強度を示す。
【００５２】
【表２】
2014023147.tif 000004
【００５３】
このように、本発明に係る無線アクセスポイント情報収集装置は、無線アクセスポイントに関する情報を収集する地点の絶対位置情報（緯度／経度）が入力されて、各地点別に無線アクセスポイントに関する情報を収集／格納して無線アクセスポイント情報収集サーバにアップロードすることによって、後に室内位置情報サービス提供時にアップロードされた情報を基に正確且つ迅速にユーザの位置が決定されるようにする。
【００５４】
以下、表２の情報に基づいて当該建物の内部のユーザ位置を決定する方法について例を挙げて説明する。
【００５５】
次の表３は、図５のような環境で特定位置に存在するユーザ端末が特定時間ＴからＴ＋２まで移動して収集した無線アクセスポイントの信号強度を示す。
【００５６】
【表３】
2014023147.tif 000005
【００５７】
無線アクセスポイント情報収集装置が収集した無線ＡＰの信号強度をＦ．ＡＰ、ユーザの位置で収集された無線ＡＰの信号強度をＣ．ＡＰとする場合、時間Ｔでユーザの端末の位置とＦＰ１の位置との間の類似度は、次の数式１のように表現することができる。
【００５８】
【数１】
2014023147.tif 000006
【００５９】
ここで、ｆ（ｘ）は重み関数であり、図８のような指数曲線を有してもよい。
【００６０】
無線アクセスポイント情報収集装置が収集した表２のような情報に基づいてユーザの端末から送信された表３のようなＴ、Ｔ＋１、Ｔ＋２時間の無線ＡＰに対する信号強度との類似度を算出し、
【００６１】
時間Ｔの位置でユーザの端末とＦＰ１位置の類似度を算出すると、
【００６２】
Sim(FP1)=(100-|(-40)−(-45)|)*(11)+(100-|(-35)−(-40)|)*(13)+(100-|(-45)−(-50)|)*(8)+(100-|(-70)−(-60)|)*(5)+(100-|(-75)−(-65)|)*(3)+(100-|(-90)−(-80)|)*(1)
=3850
【００６３】
時間Ｔの位置でユーザの端末とＦＰ２位置の類似度を算出すると、
【００６４】
Sim(FP2)=(100-|(-50)−(-45)|)*(11)+(100-|(-37)−(-40)|)*(13)+(100-|(-50)−(-50)|)*(8)+(100-|(-63)−(-60)|)*(5)+(100-|(-65)−(-65)|)*(3)+(100-|(-75)−(-80)|)*(1)
=3986
【００６５】
時間Ｔの位置でユーザの端末とＦＰ３位置の類似度を算出すると、
【００６６】
Sim(FP3)==(100-|(-60)−(-45)|)*(11)+(100-|(-40)−(-40)|)*(13)+(100-|(-55)−(-50)|)*(8)+(100-|(-55)−(-60)|)*(5)+(100-|(-55)−(-65)|)*(3)+(100-|(-60)−(-80)|)*(1)
=3820
のような結果を得ることができる。
【００６７】
ここで、ユーザ端末の位置は類似度値が最も大きく出てきたＦＰ２の位置に決定され、ＦＰ２の位置の緯図３７．３８５３３７、経度１２７．１２１３７８をユーザ位置に決定してもよい。
【００６８】
数式１を分析してみれば、ユーザ端末の位置とＦＰの位置との間の類似度は、次の数式２によって算出できることが分かる。
【００６９】
【数２】
2014023147.tif 000007
【００７０】
ここで、Ａ＝１００、定数：信号強度（０〜−１００）の差が小さいほど大きい値を有するようにするための定数値、Ｂ＝｜（Ｆ．ＡＰｘ−Ｃ．ＡＰｘ）｜、信号強度差：収集された信号強度と現在の信号強度の差値、Ｃ＝ｆ（ｘ）、信号強度別の重み：実験的に得た信号強度別の重み関数を各々示す。
【００７１】
上のような方法によってＴ−＞Ｔ＋１−＞Ｔ＋２の時間で算出してみれば、
時間Ｔでユーザ端末とＦＰ位置間の類似度は、
【００７２】
Sim(FP1)=(100-|(-40)−(-45)|)*(11)+(100-|(-35)−(-40)|)*(13)+(100-|(-45)−(-50)|)*(8)+(100-|(-70)−(-60)|)*(5)+(100-|(-75)−(-65)|)*(3)+(100-|(-90)−(-80)|)*(1)
=3850
【００７３】
Sim(FP2)=(100-|(-50)−(-45)|)*(11)+(100-|(-37)−(-40)|)*(13)+(100-|(-50)−(-50)|)*(8)+(100-|(-63)−(-60)|)*(5)+(100-|(-65)−(-65)|)*(3)+(100-|(-75)−(-80)|)*(1)
=3986
【００７４】
Sim(FP3)==(100-|(-60)−(-45)|)*(11)+(100-|(-40)−(-40)|)*(13)+(100-|(-55)−(-50)|)*(8)+(100-|(-55)−(-60)|)*(5)+(100-|(-55)−(-65)|)*(3)+(100-|(-60)−(-80)|)*(1)
=3820
【００７５】
時間Ｔ＋１でユーザ端末とＦＰ位置間の類似度は、 Sim(FP1)=(100-|(-40)−(-55)|)*(6)+(100-|(-35)−(-45)|)*(11)+(100-|(-45)−(-60)|)*(5)+(100-|(-70)−(-60)|)*(5)+(100-|(-75)−(-60)|)*(5)+(100-|(-90)−(-75)|)*(1)
=2885
【００７６】
Sim(FP2)=((100-|(-50)−(-55)|)*(6)+(100-|(-37)−(-45)|)*(11)+(100-|(-50)−(-60)|)*(5)+(100-|(-63)−(-60)|)*(5)+(100-|(-65)−(-60)|)*(5)+(100-|(-75)−(-75)|)*(1)
=3092
【００７７】
Sim(FP3)=((100-|(-60)−(-55)|)*(6)+(100-|(-40)−(-45)|)*(11)+(100-|(-55)−(-60)|)*(5)+(100-|(-55)−(-60)|)*(5)+(100-|(-55)−(-60)|)*(5)+(100-|(-60)−(-75)|)*(1)
=3125
【００７８】
時間Ｔ＋２でユーザ端末とＦＰ位置間の類似度は、 Sim(FP1)=(100-|(-40)−(-50)|)*(8)+(100-|(-35)−(-50)|)*(8)+(100-|(-45)−(-55)|)*(6)+(100-|(-45)−(-60)|)*(5)+(100-|(-75)−(-65)|)*(3)+(100-|(-90)−(-70)|)*(2)
=2795
【００７９】
Sim(FP2)=(100-|(-50)−(-50)|)*(8)+(100-|(-37)−(-50)|)*(8)+(100-|(-50)−(-55)|)*(6)+(100-|(-63)−(-60)|)*(5)+(100-|(-65)−(-65)|)*(3)+(100-|(-75)−(-70)|)*(2)
=3041
【００８０】
Sim(FP3)=(100-|(-60)−(-50)|)*(8)+(100-|(-40)−(-50)|)*(8)+(100-|(-55)−(-55)|)*(6)+(100-|(-55)−(-60)|)*(5)+(100-|(-55)−(-65)|)*(3)+(100-|(-60)−(-70)|)*(2)
=2965
【００８１】
上のように算出すると、ユーザは上の図７のＦＰ２の位置からＦＰ３の位置に移動して再びＦＰ２の位置に移動したという結果を得ることができる。
【００８２】
図９は、本発明の一実施形態において、無線アクセスポイント情報収集装置を示すブロック図である。
【００８３】
無線アクセスポイント情報収集装置９００は、建物内部の位置情報サービスを提供するためのデータベースを構築するために、当該建物で認識される無線アクセスポイントに関する情報を収集する。そのために、無線アクセスポイント情報収集装置１００は、表示部９１０、入力部９２０、収集部９３０、格納部９４０及び送信部９５０を備えてもよい。
【００８４】
表示部９１０は、無線アクセスポイントに関する情報を収集する地点の位置情報をより容易に入力できるように無線アクセスポイント情報収集装置１００に備えられたディスプレイを介して地図情報を表示する。
【００８５】
入力部９２０は、ターゲット施設内部（建物の内部）で無線アクセスポイントに関する情報を収集する地点の位置情報が入力される。無線アクセスポイント情報収集装置１００に備えられたディスプレイがタッチ入力の可能なディスプレイである場合、入力部９２０は、前記ディスプレイを介して位置情報の入力を受けてもよい。
【００８６】
収集部９３０は、入力部９２０を介して無線アクセスポイントに関する情報を収集する地点の位置情報が入力され、前記無線アクセスポイントに関する情報を収集する地点が位置する階数に関する情報が入力されれば、各々の地点別に周辺に位置する無線アクセスポイントに関する情報を収集する。
【００８７】
ここで、前記無線アクセスポイントは、ユーザまたは当該施設の入居者の便宜のために当該施設内部に設置されたＷｉＦｉ  ＡＰであってもよい。無線アクセスポイント情報収集装置１００によって収集される無線アクセスポイントに関する情報は、各々のＷｉＦｉ  ＡＰを識別するための固有値（例えば、ＭＡＣアドレスなど）と当該ＷｉＦｉ  ＡＰからの信号強度（ＲＳＳＩ：Ｒｅｃｅｉｖｅｄ  Ｓｉｇｎａｌ  Ｓｔｒｅｎｇｔｈ  Ｉｎｄｉｃａｔｉｏｎ）を含んでもよい。
【００８８】
収集部９３０は、無線アクセスポイント情報収集装置１００に含まれる無線ＬＡＮカード（ＬＡＮ  Ｃａｒｄ）をスキャナ（Ｓｃａｎｎｅｒ）として動作させて周辺の無線アクセスポイントに関する情報を収集してもよい。ここで、収集部９３０は、位置情報サービス提供時に、より正確にユーザの位置を決定できるようにするために無線アクセスポイントに関する情報を等間隔で収集してもよい。
【００８９】
一方、表示部９１０は、収集部９３０が無線アクセスポイントに関する情報を収集すると、収集した情報に関する情報を前記地図情報上に表示することによって情報収集者がすでに無線アクセスポイントに対する収集した地点に対してより容易に知ることが出来るようにしてもよい。
【００９０】
格納部９４０は、入力部９２０を介して入力された無線アクセスポイントに関する情報を収集する地点の位置情報を格納する一方、収集部９３０で収集された当該地点における無線アクセスポイントに関する情報を前記無線アクセスポイントに関する情報を収集する地点別に格納する。
【００９１】
送信部９５０は、送信ボタンが選択された場合、格納部９４０にその間格納された情報を無線アクセスポイント情報収集サーバにアップロードしてもよい。
【００９２】
このような過程を経て、無線アクセスポイント情報収集サーバにアップロードされた情報は、室内地図サービス、パノラマ室内ロードビュー、室内位置検索、室内での近道検索などの多様なサービスに活用してもよい。
【００９３】
本発明の実施形態は、多様なコンピュータで実現される動作を行うためのプログラム命令を含むコンピュータ読み取り可能な記録媒体を含む。特に、本実施形態では、ディスプレイを備える携帯装置によって実行される場合、前記携帯装置がターゲット施設内部で無線アクセスポイントに関する情報を収集する地点の位置情報の入力を受けるようにし、前記無線アクセスポイントに関する情報を収集する地点別に周辺に位置する無線アクセスポイントに関する情報を収集するようにし、前記収集した無線アクセスポイントに関する情報と前記入力された位置情報とを格納するようにさせる命令語が記録されるコンピュータ読み取り可能な記録媒体を含んでもよい。本実施形態に係るプログラムは、ＰＣ基盤のプログラムまたはモバイル端末専用アプリケーション（例えば、スマートフォンアプリケーション、フィーチャーフォンＶＭ（ｖｉｒｔｕａｌ  ｍａｃｈｉｎｅ）などの形態）などで構成してもよい。これは、ユーザ端末のメモリに格納されて、ユーザ端末で駆動される１つ以上のプロセッサによって実行されるように構成してもよい。
【００９４】
前記コンピュータで読み取り可能な記録媒体は、プログラム命令、データファイル、データ構造などを単独または組合わせて含んでもよい。前記媒体に記録されるプログラム命令は、本発明のために特別に設計して構成されたものや、コンピュータソフトウェア当業者に公知であり使用可能なものであってもよい。
【００９５】
上述したように本発明を限定された実施形態と図面によって説明したが、本発明は、上記の実施形態に限定されることなく、本発明が属する分野における通常の知識を有する者であれば、このような実施形態から多様な修正及び変形が可能である。
【００９６】
したがって、本発明の範囲は、説明された実施形態に限定されて定められるものではなく、特許請求の範囲及び特許請求の範囲と均等なものなどによって定められるものである。
【図１】
2014023147.tif 000008
【図２】
2014023147.tif 000009
【図３】
2014023147.tif 000010
【図４】
2014023147.tif 000011
【図５】
2014023147.tif 000012
【図６】
2014023147.tif 000013
【図７】
2014023147.tif 000014
【図８】
2014023147.tif 000015
【図９】
2014023147.tif 000016